(57)【要約】      （修正有）【課題】安全に簡単にでき者救助に使用できる捕獲具を提供する。【解決手段】本発明は、本体連結基部１に延設したフック部本体２と、フック部２ａと、捕獲ベルト先端側固定部４と、捕獲ベルト基端側固定部５と、捕獲ベルト６と、吊下手段７と、主動アーム枢動支点部８と、主動アーム９と、主動アーム弾性手段１０と、捕獲ベルト摺動部１１と、起動アーム枢動支点部１２と、起動アーム１３と、起動アーム弾性手段１４と、ロック手段１５とを備え、主動アーム弾性手段と起動アーム弾性手段とは常時開口部を開口させるように弾性を付与すると共に、起動アームの先端はフック部の間から外周に突出し、主動アームの先端はフック部を間に入れて外周に突出する。【選択図】図１
0003117593.tif 000002
【実用新案登録請求の範囲】
【請求項１】
海に落下した人間や物又は動物や魚等を捕獲する捕獲具であって、本体連結基部と、該本体連結基部から基部を平行に間隔を有して延設し先端をＵ字状に接続させたフック部本体と、該フック部本体の先端側を略半円孤状に湾曲させた被挿入物を挿通させる開口部を有したフック部と、該フック部の先端辺に設けた起動アーム当接部と捕獲ベルト先端側固定部と、フック部本体の基端辺に設けた捕獲ベルト基端側固定部と、該捕獲ベルト基端側固定部と前記捕獲ベルト先端側固定部とに夫々端部を固定した柔軟性を有する捕獲ベルトと、該捕獲ベルトの中程をフック部の内側の近傍に維持させる吊下手段と、前記フック部本体に設けた主動アーム枢動支点部と、該主動アーム枢動支点部に基端を枢着した基部を平行に間隔を有して延設し先端をＵ字状に接続させた主動アームと、該主動アームに弾性を付与する主動アーム枢動支点部に設けた主動アーム弾性手段と、前記主動アームの先端辺に設けた捕獲ベルトを摺動させてフック部の内側の近傍に沿って移動させるための捕獲ベルト摺動部と、前記主動アームの基端辺に設けた起動アーム枢動支点部と、該起動アーム枢動支点部に基端を枢着した基部を平行に間隔を有して延設し先端をＵ字状に接続させた起動アームと、該起動アームに弾性を付与する起動アーム枢動支点部に設けた起動アーム弾性手段と、前記起動アームの基端と主動アーム枢動支点部とに設けた係脱自在なロック手段とを備え、前記主動アーム弾性手段と前記起動アーム弾性手段とは常時主動アームと起動アームとをフック部の開口部を開口させるように夫々弾性を付与すると共に、前記起動アームの先端は前記フック部の間から外周に突出して枢動し、前記主動アームの先端は前記フック部を間に入れて外周に突出して枢動することを特微とする捕獲具。
【考案の詳細な説明】
【技術分野】
【０００１】
本考案は海に落下した人間や物又は動物や魚等を捕獲する捕獲具に関するものであり、更に、詳細には、海に落下した人間の腕や足等をフック部本体のフック部の開口部に挿通させるように引っ掛けると自動的に捕獲ベルトによって確りと締結されるもので、抜落や傷付けることが皆無でもので、更には、カジキまぐろ等のフィッシングで一且釣りあげた魚をリリースする時にも、魚を傷付けることが無く捕獲するのに好適な捕獲具に関するものである。
【背景技術】
【０００２】
従来、海に落下した人間等の救助をするのは陸や船の上からロープで繋いだ浮き輪を投げたり、竿やロープを投げて行っていたが落下した人の体力や状況によって自力で捕まれない場合が多く、救助者が泳いで行ってロープでくくったり、助けたりしており危険な作業と成っており、人間に傷を付けることなく、且つ、安全に救助する手段が切望されており、更には、カジキまぐろ等のフィッシングの際に釣りあげた魚に釣状のギャフを打ち込んで引き上げ針を外してリリースしており、釣状のギャフを魚に打ち込むので傷付けることと成り、リリースした魚が弱ったり、死んだりしており、環境や生態系に与える影響も決して良いものとは言えなかく、更に、動物園や公園等の広い屋外で飼育されている動物等を捕獲する必要が生じた場合、傷を付けることなく捕獲する為には大掛かりな装置等を設置したりしていた。
【０００３】
例えば、柔軟性を有するベルト状のもので捕獲するものとして、先に開示されている、先導作動筒装置３０により、先導わな１０を急速に縮径させて猪あるいは鹿を仮捕獲し、僅かに遅れて主動わな２０で確実に捕獲するように構成したもの（特許文献１参照）がある。
【特許文献１】特開２００３−１３４９８５号公報
【考案の開示】
【考案が解決しようとする課題】
【０００４】
然し乍ら、前述の先導作動筒装置３０により、先導わな１０を急速に縮径させて猪あるいは鹿を仮捕獲し、僅かに遅れて主動わな２０で確実に捕獲するように構成したものでは、先導わな１０及び主動わな２０はロープであることから捕獲する猪あるいは鹿には傷を付けることなく捕獲できるものの、リング状になった先導わな１０及び主動わな２０の中に被捕獲物を入るのを待たなければ成らず、海に落下した人間等を容易に救助する救助具に用いるのは困難なものである。
【課題を解決するための手段】
【０００５】
本考案の捕獲具は、前述の課題に鑑み、鋭意研鑽の結果、本体連結基部と、本体連結基部から基部を平行に間隔を有して延設し先端を接続させたフック部本体と、フック部本体の先端側を湾曲させた被挿入物を挿通させる開口部を有したフック部と、フック部の先端辺に設けた起動アーム当接部と捕獲ベルト先端側固定部と、フック部本体の基端辺に設けた捕獲ベルト基端側固定部と、捕獲ベルト基端側固定部と捕獲ベルト先端側固定部とに固定した捕獲ベルトと、捕獲ベルトをフック部の内側の近傍に維持させる吊下手段と、フック部本体に設けた主動アーム枢動支点部と、主動アーム枢動支点部に枢着した基部を平行に間隔を有して延設し先端を接続させた主動アームと、主動アームに弾性を付与する主動アーム弾性手段と、主動アームの先端辺に設けた捕獲ベルト摺動部と、主動アームの基端辺に設けた起動アーム枢動支点部と、起動アーム枢動支点部に基端を枢着した基部を平行に間隔を有して延設し先端を接続させた起動アームと、起動アームに弾性を付与する起動アーム弾性手段と、起動アームの基端と主動アーム枢動支点部とに設けたロック手段とを備え、主動アーム弾性手段と起動アーム弾性手段とは主動アームと起動アームとをフック部の開口部を開口させるように弾性を付与すると共に、起動アームの先端はフック部の間から外周に突出して枢動し、主動アームの先端はフック部の間に入れて外周に突出して枢動するものである。
【考案の効果】
【０００６】
本考案の捕獲具は、本体連結基部に棒状の把持部を取り付けて、略半円弧状に湾曲させたフック部の開口部に人間の腕等を挿通させると、被挿入物が起動アームに接触して押圧することによりロック手段が外れることによって起動アームと共に主動アームが起動し、主動アームが被挿入物をフック部の開口部に押し込むように枢動し、主動アームの先端がフック部本体とクロスして外周を枢動するため、フック部の開口部を閉鎖し、同時に柔軟性を有する捕獲ベルトが被挿入物の胴周に巻き付くようにして捕獲するもので、被挿入物が傷付くことが皆無と成り、海に落ちた人間や物、釣りあげた魚に傷付けること無いもので、更には、動物園等においての動物の捕獲にも使用することができる画期的で実用性の高い考案である。
【考案を実施するための最良の形態】
【０００７】
本考案は海に落下した人間や物又は動物や魚等を捕獲する捕獲具に関するものであり、更に、詳細には、海に落下した人間の腕や足等をフック部本体のフック部の開口部に挿通させるように引っ掛けると自動的に捕獲ベルトによって確りと締結されるもので、抜落や傷付けることが皆無でもので、更には、カジキまぐろ等のフィッシングで一且釣りあげた魚をリリースする時にも、魚を傷付けることが無く捕獲するのに好適な捕獲具に関するものであり、海に落下した人間や物又は動物や魚等を捕獲する捕獲具であって、本体連結基部１と、該本体連結基部１から基部を平行に間隔を有して延設し先端をＵ字状に接続させたフック部本体２と、該フック部本体２の先端側を略半円孤状に湾曲させた被挿入物Ａを挿通させる開口部Ｂを有したフック部２ａと、該フック部２ａの先端辺に設けた起動アーム当接部３と捕獲ベルト先端側固定部４と、フック部本体２の基端辺に設けた捕獲ベルト基端側固定部５と、該捕獲ベルト基端側固定部５と前記捕獲ベルト先端側固定部４とに夫々端部を固定した柔軟性を有する捕獲ベルト６と、該捕獲ベルト６の中程をフック部２ａの内側の近傍に維持させる吊下手段７と、前記フック部本体２に設けた主動アーム枢動支点部８と、該主動アーム枢動支点部８に基端を枢着した基部を平行に間隔を有して延設し先端をＵ字状に接続させた主動アーム９と、該主動アーム９に弾性を付与する主動アーム枢動支点部８に設けた主動アーム弾性手段１０と、前記主動アーム９の先端辺に設けた捕獲ベルト６を摺動させてフック部２ａの内側の近傍に沿って移動させるための捕獲ベルト摺動部１１と、前記主動アーム９の基端辺に設けた起動アーム枢動支点部１２と、該起動アーム枢動支点部１２に基端を枢着した基部を平行に間隔を有して延設し先端をＵ字状に接続させた起動アーム１３と、該起動アーム１３に弾性を付与する起動アーム枢動支点部１２に設けた起動アーム弾性手段１４と、前記起動アーム１３の基端と主動アーム枢動支点部８とに設けた係脱自在なロック手段１５とを備え、前記主動アーム弾性手段１０と前記起動アーム弾性手段１４とは常時主動アーム９と起動アーム１３とをフック部２ａの開口部Ｂを開口させるように夫々弾性を付与すると共に、前記起動アーム１３の先端は前記フック部２ａの間から外周に突出して枢動し、前記主動アーム９の先端は前記フック部２ａを間に入れて外周に突出して枢動することを特微とするものである。
【実施例】
【０００８】
以下、本考案の捕獲具の実施例の図面を用いて詳細に説明すると、図１は本考案の捕獲具の実施例のセット前の状態の側面説明図であり、図２は本考案の捕獲具の実施例のセット中の状態の側面説明図であり、図３は本考案の捕獲具の実施例の捕獲後の状態の側面説明図であり、図４は本考案の捕獲具の実施例の要部の正面説明図である。
【０００９】
即ち、本考案の捕獲具は海に落ちた人間や物、動物園等の飼育動物や野生の動物、吊り上げた大型の魚等に傷を付けることなく容易に確実に捕獲するものである。
【００１０】
そして、本体連結基部１は短筒状の金属や硬質合成樹脂で形成したもので良く、基端側には５〜６メートル程度の杆状の把持部Ｃの先端辺を挿通固定したもの、又は、把持部Ｃの先端辺を着脱自在に挿通させて本体連結基部１の胴周にロープを締結するリング状のロープ固定部（図示しない）を設けても良く、胴周の両側には小径の短筒状体を設けて、先端側に後述するフック部本体２の平行した２本の棒又は管の基部を挿通固定しているものである。
【００１１】
次に、フック部本体２は比較的丈夫なステンレススチール等の金属製の丸棒又はパイプを屈曲させて形成するもので、平行に一定巾の間隔を有した２本の基部を本体連結基部１に挿通固定しており、先端はＵ字状に接続させているものである。
【００１２】
次いで、フック部２ａはフック部本体２の先端側を略半円孤状に湾曲させて下方に開口部Ｂを有しているもので、略釣針状にフック部本体２を形成して被挿入物Ａを引っ掛けるようにして開口部Ｂから挿通させるものである。
【００１３】
更に、起動アーム当接部３と捕獲ベルト先端側固定部４とは、フック部本体２のフック部２ａの先端辺に間隔を有した両側の丸棒の間に固定用丸棒を溶着等の手段で横設しているもので、起動アーム当接部３は後述する起動アーム１３の先端辺を当接させて枢動を規制するものであり、捕獲ベルト先端側固定部４は後述する捕獲ベルト６の先端側を固定するものである。
【００１４】
更には、捕獲ベルト基端側固定部５はフック部本体２の基端辺に間隔を有した両側の丸棒の間に固定用丸棒を溶着等の手段で横設しているもので、後述する捕獲ベルト６の基端側を固定するものである。
【００１５】
そして、捕獲ベルト６は柔軟性を有した織布、不織布等から成るもので、先端をフック部本体２の捕獲ベルト先端側固定部４に縫着等の手段で固定し、基端を捕獲ベルト基端側固定部５に縫着等の手段で固定すると共に、捕獲ベルト６はフック部本体２の内側に略沿った長さを有しており、被挿入物Ａの外周を捲回するのに充分なもので、後述する吊下手段７、並びに、後述する主動アーム９の捕獲ベルト摺動部１１とに挿通させて、フック部本体２の内側に沿って位置させるものである。
【００１６】
次に、吊下手段７はフック部本体２のフック部２ａの奥方に間隔を有した両側の丸棒の間に固定用兼起動レバーストパー用丸棒７ａを溶着等の手段で横設し、該固定用兼起動レバーストパー用丸棒７ａからコイルスプリング７ｂを介装してリング７ｃを吊り下げているもので、該リング７ｃに捕獲ベルト６を挿通させており、捕獲ベルト６の中程をフック部２ａの内側の近傍に維持させると共に、リング７ｃは後述する起動アーム１３の枢動時には起動アーム１３の平行した２本の基部の間を通り前方に移動が可能なものであり、又、固定用兼起動レバーストパー用丸棒７ａは起動時の起動アーム１３の枢動ストッパーと成るものである。
【００１７】
次いで、主動アーム枢動支点部８はフック部本体２のフック部２ａの基部に金属板を断面コ字状に折曲させて内側に対峙させて突設させ、対峙させた金属板の間に主動アーム枢動軸８ａを固定して、後述する主動アーム９の基端を枢着させると共に、後述する主動アーム弾性手段１０を捲着するものである。
【００１８】
更に、主動アーム９は両側の基部を主動アーム枢動軸８ａに枢動自在に固定しているもので、先端側は平行に間隔を有して延設し先端をＵ字状に接続させたステンレススチール等の金属製の丸棒又はパイプを屈曲させているもので、先端辺には後述する捕獲ベルト摺動部１１を横設しているものである。
【００１９】
更には、主動アーム弾性手段１０は主動アーム枢動支点部８の主動アーム枢動軸８ａにキックバネを捲着して、後述するように主動アーム９に絶えずフック部２ａの開口部Ｂを開口させるように弾性を付与しているものである。
【００２０】
次いで、捕獲ベルト摺動部１１は主動アーム９が枢動するとき捕獲ベルト６を摺動させてフック部２ａの内側の近傍に沿って移動させるために主動アーム９の先端辺に設けているもので、主動アーム９の平行させた間隔の先端辺に摺動用丸棒を溶着等の手段で横設して、主動アーム９の先端と間に捕獲ベルト６を挿通させているものである。
【００２１】
そして、起動アーム枢動支点部１２は主動アーム９の基端から若干の間隔をおいた上方の基端辺に平行した間隔に起動アーム枢動軸を横設しているもので、後述する起動アーム１３の基端を枢着させると共に、後述する起動アーム弾性手段１４を捲着しているものである。
【００２２】
更に、起動アーム１３は平行に間隔を有した２本の基部を起動アーム枢動支点部１２に枢着しているもので、先端はＵ字状に接続させたステンレススチール等の金属杆で形成されているもので、起動アーム１３の平行に間隔を有した間には吊下手段７のリング７ｃ又は該リング７ｃに挿通された捕獲ベルト６のどちらかが挿通しているものである。
【００２３】
次に、起動アーム弾性手段１４は起動アーム枢動支点部１２の起動アーム枢動軸のキックバネを捲回させており、後述するように起動アーム１３に絶えずフック部２ａの開口部Ｂを開口させるように弾性を付与しているものである。
【００２４】
次いで、ロック手段１５は起動アーム１３の基端に鈎状のロック部材１５ａを突設させ、該ロック部材１５ａと係合するように係合ピン１５ｂを主動アーム枢動支点部８に設けたもので、ロック部材１５ａと係合ピン１５ｂとは係脱自在なものである。
【００２５】
そして、主動アーム弾性手段１０と起動アーム弾性手段１４とは主動アーム９と起動アーム１３とをフック部２ａの開口部Ｂを開口させるように夫々絶えず弾性を付与しているものである。
【００２６】
更には、起動アーム１３の先端は枢動する時にフック部本体２の平行した２本の棒又はパイプの間から外周に突出してクロスするように枢動して、主動アーム９の先端は枢動する時にフック部本体２を平行した２本の棒又はパイプの間に挿通させて外周に突出してクロスするようにフック部２ａの外側に沿って枢動するものである。
【００２７】
そして、本考案の捕獲具の使用方法を説明すると、図１に図示するセット前の状態から、フック部本体２の本体連結基部１を片手で把持して他方の手で主動アーム９のフック部２ａの外側に位置する先端を持って主動アーム弾性手段１０の弾性に抗して主動アーム枢動支点部８を中心に枢動させるものである。
【００２８】
そうすると、主動アーム９の枢動に伴って起動アーム１３も共に枢動するもので、主動アーム９の先端をフック部２ａの先端辺まで枢動させると、起動アーム１３の先端辺はフック部２ａの間を枢動するためフック部２ａの間に設けた起動アーム当接部３に当接して枢動を停止するものであり、この動作で吊下手段７のリング７ｃは捕獲ベルト６と共に起動アーム１３の間を通過してフック部２ａの奥側に位置することとなり、捕獲ベルト６はフック部２ａの近傍に吊り上げられているものである。
【００２９】
更に、主動アーム９を枢動させると起動アーム１３の先端側は起動アーム当接部３に当接して枢動を停止しているものの、主動アーム９を枢動に伴って主動アーム９の基端辺に設けた起動アーム枢動支点部１２の起動アーム弾性手段１４の弾性に抗して起動アーム１３の基端側が枢動することにより、起動アーム１３は斜め下方にスライドするように移動するものである。
【００３０】
そして、主動アーム９が略１８０度反転した図２に図示するセットの状態に成ると起動アーム１３の基端に延設したロック手段１５の鈎状のロック部材１５ａと主動アーム枢動支点部８に設けた係合ピン１５ｂとが係合してロック状態と成るものである。
【００３１】
このセットの状態で捕獲ベルト６は捕獲ベルト基端側固定部５と捕獲ベルト先端側固定部４とに両端が夫々固定されると共に、吊下手段７のリング７ｃによりフック部２ａの上方に位置され、主動アーム９の先端辺に設けた捕獲ベルト摺動部１１に挿通され、フック部２ａの開口部Ｂの両端に捕獲ベルト６の両端が位置し、中程が捕獲ベルト摺動部１１を挿通して更に吊下手段７により吊り下げられているものである。
【００３２】
そして、被挿入物Ａを挿通させるには、フック部本体２の略半円孤状に湾曲させたフック部２ａの開口部Ｂに被挿入物Ａを位置させて、手前に引っ張るように動かすと、被挿入物Ａが起動アーム１３を押圧するもので、押圧に伴い起動アーム１３が枢動して基端に設けたロック部材１５ａと係合ピン１５ｂとのロック手段１５が外れるものである。
【００３３】
そうすると、主動アーム９と起動アーム１３とが主動アーム弾性手段１０と起動アーム弾性手段１４との弾性により枢動して最初のセット前の状態に戻ろうとするものあるが、主動アーム９は被挿入物Ａを外側からフック部２ａの開口部Ｂの内側に押し込むと共に、主動アーム９の先端はフック部２ａの外側に突出しておりクロス状と成っており、同時に、捕獲ベルト６は捕獲ベルト摺動部１１と捕獲ベルト先端側固定部４との間で被挿入物Ａの外周に巻き付くように締結されるものである。
【００３４】
更には、本考案の捕獲具は、本体連結基部１に５〜６メートル程度の棒状の把持部Ｃを挿通固定して使用するか、又は、本体連結基部１に着脱自在に棒状の把持部Ｃを挿通させて、本体連結基部１にロープを締結して棒状物を外し、ロープによってたぐり寄せることも可能なものである。
【産業上の利用可能性】
【００３５】
本考案の捕獲具は、本体連結基部に棒状の把持部を取り付けて、略半円弧状に湾曲させたフック部の開口部に被挿入物を挿通させると、被挿入物が起動アームに接触して押圧することによりロック手段が外れて主動アームが起動し、主動アームの先端がフック部本体の外周を枢動するため、フック部の開口部を閉鎖し、同時に柔軟性を有する捕獲ベルトが被挿入物の胴周に巻き付くようにして捕獲するもので、被挿入物が傷付くことが皆無と成り、海に落ちた人間や物、釣りあげた魚に傷付けること無いもので、更には、動物園等においての動物の捕獲にも好適に使用することができるものである。
【図面の簡単な説明】
【００３６】
【図１】図１は本考案の捕獲具の実施例のセット前の状態の側面説明図である。
【図２】図２は本考案の捕獲具の実施例のセット中の状態の側面説明図である。
【図３】図３は本考案の捕獲具の実施例の捕獲後の状態の側面説明図である。
【図４】図４は本考案の捕獲具の実施例の要部の正面説明図である。
【符号の説明】
【００３７】
Ａ      被挿入物
Ｂ      開口部
Ｃ      把持部
１      本体連結基部
２      フック部本体
２ａ    フック部
３      起動アーム当接部
４      捕獲ベルト先端側固定部
５      捕獲ベルト基端側固定部
６      捕獲ベルト
７      吊下手段
７ａ    固定用兼起動レバーストパー用丸棒
７ｂ    コイルスプリング
７ｃ    リング
８      主動アーム枢動支点部
８ａ    主動アーム枢動軸
９      主動アーム
１０    主動アーム弾性手段
１１    捕獲ベルト摺動部
１２    起動アーム枢動支点部
１３    起動アーム
１４    起動アーム弾性手段
１５    ロック手段
１５ａ  ロック部材
１５ｂ  係合ピン
【図１】
0003117593.tif 000003
【図２】
0003117593.tif 000004
【図３】
0003117593.tif 000005
【図４】
0003117593.tif 000006